(57)【要約】【課題】簡易な構造により、端子台に端子ねじが締め付けられているか否かの確認を容易にする、締付表示付端子台を提供する。【解決手段】  締付表示付端子台１は、端子台内に配設された端子板２と、断面が略Ｌ字状に形成された板状材であり、端子台内に配設されて、一方の平面には端子ねじ１１０、２１０が螺合可能なねじ孔３１が形成され、もう一方の平面には、密着端３２が形成されたねじ受け部３と、端子台の上面部に配設され、半透明の合成樹脂で形成され、端子ねじ１１０、２１０が端子台に締め付けられたことを表示する表示部６を備える。端子ねじ１１０、２１０が端子台に締め付けられると、ねじ受け部３が端子台の上面部に当接する方向に移動し、密着端３２が、端子台の上面部を下側から押圧した状態で、表示部６に密着する。【選択図】  図３
2016152199.tif 000002
【特許請求の範囲】
【請求項１】
端子台に端子ねじが締め付けられていることを表示する締付表示付端子台であって、
前記端子台内に配設され、前記端子ねじと電気的に接続する導通部と、
断面が略Ｌ字状に形成された板状材であり、前記端子台内の導通部内に配設されて、一方の平面には前記端子ねじが螺合可能なねじ孔が形成され、もう一方の平面には、密着端が形成されたねじ受け部と、
前記端子台の上面部に配設され、半透明の合成樹脂で形成され、前記端子ねじが前記端子台に締め付けられたことを表示する表示部と、
を備え、
前記端子ねじが前記端子台に締め付けられると、前記ねじ受け部が前記端子台の上面部に当接する方向に移動し、前記密着端が、前記端子台の上面部を下側から押圧した状態で、前記表示部に密着する、
ことを特徴とする締付表示付端子台。
【請求項２】
前記ねじ受け部が着色されている、
ことを特徴とする請求項１に記載の締付表示付端子台。
【請求項３】
前記密着端は、円柱状または角柱状に形成されている、
ことを特徴とする請求項１または２いずれか１項に記載の締付表示付端子台。
【請求項４】
前記表示部には、前記密着端が挿通可能な開口が形成されている、
ことを特徴とする請求項１から３いずれか１項に記載の締付表示付端子台。
【発明の詳細な説明】
【技術分野】
【０００１】
この発明は、例えば発電所や変電所などの配電盤や制御盤に、配電線を接続するための締付表示付端子台に関する。
【背景技術】
【０００２】
発電所や変電所の配電盤や制御盤に配電線を接続する場合、配電盤や制御盤に設置された端子台に、端子ねじを締め付けることで行っている。そして端子ねじを締めつけた際には、接触不良を防止するために、確実に締め付けられていることを確認しなくてはならない。一般的に、この確認をするために、工具によって当該端子ねじを締め付けて緩みがないことを確認したり、圧着側を振動させて確認したりしている。しかしながら、いずれの場合も、端子台のすべての端子ねじを１つ１つ確認するため、確認作業には多大な手間と時間を要していた。
【０００３】
そこで、端子ねじの確実な締め付けを行うため、端子台の端子ねじの緩みを検知することができる端子台や検出装置が提案されている。(例えば、特許文献１、２、３参照。)。
【０００４】
例えば、特許文献１は、端子台に端子ねじが正しく締めつけられているときに導通し、緩んでいるときには絶縁する電極を設置して、絶縁を検知したときには、警報を発する回路を備えた端子台が記載されている。
【０００５】
また、特許文献２には、端子台の端子ねじ孔の底に導通体を設け、端子ねじが正しく締めつけられているときに、端子ねじの先端と該導通体が接触し、緩んでいるときには絶縁され、絶縁を検出したときには、警報を発する回路を備えた端子台が記載されている。
【０００６】
さらに、特許文献３は、光電式距離センサーまたは磁気センサーにより、端子ねじとセンサーとの距離を測定して、端子ねじの緩みを検出する、検出装置が記載されている。
【先行技術文献】
【特許文献】
【０００７】
【特許文献１】特開平１−２７６５７３号公報
【特許文献２】特開平１−２８９０７５号公報
【特許文献３】実開平４−９６０４３号公報
【発明の概要】
【発明が解決しようとする課題】
【０００８】
しかしながら、特許文献１、２の端子台と、特許文献３の検出装置は、何れも構造が複雑であり、使用にはコストがかかる上、回路の故障などが発生した場合には、端子ねじの緩みが検出できない恐れがあった。
【０００９】
そこで、この発明は、簡易な構造により、端子台に端子ねじが締め付けられているか否かの確認を容易にする、締付表示付端子台を提供することを目的とする。
【課題を解決するための手段】
【００１０】
上記課題を解決するために、請求項１に記載の発明は、端子台に端子ねじが締め付けられていることを表示する締付表示付端子台であって、前記端子台内に配設され、前記端子ねじと電気的に接続する導通部と、断面が略Ｌ字状に形成された板状材であり、前記端子台内の導通部内に配設されて、一方の平面には前記端子ねじが螺合可能なねじ孔が形成され、もう一方の平面には、密着端が形成されたねじ受け部と、前記端子台の上面部に配設され、半透明の合成樹脂で形成され、前記端子ねじが前記端子台に締め付けられたことを表示する表示部と、を備え、前記端子ねじが前記端子台に締め付けられると、前記ねじ受け部が前記端子台の上面部に当接する方向に移動し、前記密着端が、前記端子台の上面部を下側から押圧した状態で、前記表示部に密着する、ことを特徴とする。
【００１１】
この発明によれば、端子ねじが締め付けられると、ねじ受け部が持ち上がり、密着端が端子台の上面部を下側から押圧した状態で、表示部に密着する。
【００１２】
請求項２に記載の発明は、請求項１に記載の締付表示付端子台において、前記ねじ受け部が着色されている、ことを特徴とする。
【００１３】
請求項３に記載の発明は、請求項１または２いずれか１項に記載の締付表示付端子台において、前記密着端は、円柱状または角柱状に形成されている、ことを特徴とする。
【００１４】
請求項４に記載の発明は、請求項１から３いずれか１項に記載の締付表示付端子台において、前記表示部には、前記密着端が挿通可能な開口が形成されている、ことを特徴とする。
【発明の効果】
【００１５】
請求項１の発明によれば、端子台への端子ねじの締め付けを確認する際には、端子台に端子ねじを締め付けて、表示部においてねじ受け部の密着端が透過して視認できたか否かによって締め付けを確認することができるので、特別な操作や工具を用いずに、端子台への端子ねじの締め付けを確認することが可能となる。そして、端子ねじの緩みの早期発見による事故防止や、設備重視作業の迅速化が可能となる。
【００１６】
請求項２の発明によれば、ねじ受け部が着色されているため、端子ねじが締め付けられて、密着端が表示部に密着した時に、より明確に確認することが可能となる。
【００１７】
請求項３の発明によれば、密着端が、円柱状や角柱状であるため、より確りと表示部に密着するようになるので、端子ねじが締め付けられたことを、より明確に確認することが可能となる。
【００１８】
請求項４の発明によれば、表示部の開口から、密着端が露出するので、端子ねじが締め付けられたことを、より明確に確認することが可能となる。
【図面の簡単な説明】
【００１９】
【図１】この発明の実施の形態１に係る締付表示付端子台の、内部構成を示す、側面図である。
【図２】この発明の実施の形態１に係る締付表示付端子台の、端子ねじが端子台に締め付けられた状態と、緩んだ状態を示す、上面図である。
【図３】この発明の実施の形態１に係る締付表示付端子台の、端子ねじが端子台に締め付けられた状態と、緩んだ状態の内部構成を示す、側面図である。
【図４】締付表示付端子台の端子板を示す斜視図である。
【図５】締付表示付端子台のねじ受け部を示す斜視図である。
【図６】この発明の実施の形態１に係る締付表示付端子台の、端子ねじが端子台に締め付けられた状態と、緩んだ状態を示す、上面図である。
【図７】この発明の実施の形態２に係る締付表示付端子台の、端子ねじが端子台に締め付けられた状態と、緩んだ状態の内部構成を示す、側面図である。
【図８】この発明の実施の形態３に係る締付表示付端子台の、端子ねじが端子台に締め付けられた状態と、緩んだ状態の内部構成を示す、側面図である。
【図９】この発明の実施の形態３に係る締付表示付端子台を示す上面図である。
【発明を実施するための形態】
【００２０】
以下、この発明を図示の実施の形態に基づいて説明する。
【００２１】
（実施の形態１）
図１ないし図６は、この実施の形態に係る締付表示付端子台１を示している。締付表示付端子台１は、合成樹脂などの絶縁素材で形成された、箱状の端子台１Ａに各端子ねじ１１０、１２０、・・・、２１０、２２０、・・・をそれぞれ確実に締め付けたことを表示するものであって、図１に示す様に、主として、端子の数に応じて、端子板（導通部）２と、ねじ受け部３と、支持部４と、ストッパ５と、表示部６とを備えている。ここで、端子板２と表示部６は、端子２個ごとに１個、ねじ受け部３と、支持部４と、ストッパ５は端子１個ごとに１個設けられている。また、隣接する端子同士は、絶縁素材で形成された隔壁によって隔てられている。また、ここで、図２（ａ）、図３（ａ）は、端子ねじ１１０、２１０が締め付けられた状態を示し、図２（ｂ）、図３（ｂ）は、端子ねじ２１０のみが締め付けられた状態を示し、図２（ｃ）、図３（ｃ）は、端子ねじ１１０、２１０がいずれも緩んだ状態を示している。
【００２２】
端子板２は、図４に示す様に、電気伝導性を有する板状材を、断面形状が、上部の一部が開口した略矩形となるように形成され、開口を挟む上部に端子ねじ１１０、２１０を挿入する孔２ａが形成されている。そして、図１に示すように、端子ねじの組数分（この実施の形態１では、５組）、端子台１Ａ内の底面に沿って配設されている。端子板２の一端側は、一方の端子ねじに接続された端子と電気的に接続可能であり、端子板２の他端側は、他方の端子ねじに接続された端子と電気的に接続可能である。すなわち、この端子板２は、対向して配設された１対の端子ねじに接続された端子同士を電気的に接続可能とするものであり、具体的には例えば、端子ねじ１１０に接続された端子Ｅ１１、Ｅ１２と、端子ねじ２１０に接続された端子Ｅ２１を電気的に接続する。
【００２３】
ねじ受け部３は、図５に示す様に、板状材を断面形状が略Ｌ字型となるように形成したものであり、一方の平面部は、端子ねじが螺合可能なねじ孔３１が形成されており、角を挟んだもう一方の平面部は、略中央に円柱状の密着端３２が形成されている。そして、図１に示すように、端子台１Ａ内に配設され、また、ねじ受け部３は、端子ねじがねじ孔に締め付けられることによって、端子台１Ａの上面部に当接する方向（上方向）に移動して、図３（ａ）に示すように、ねじ受け部３の密着端３２が、端子台１Ａの上面部を下側から押圧した状態で、後述する表示部６に密着するようになっている。ここで、上述のように、端子間は隔壁によって仕切られているので、ねじ受け部３のねじ孔３１に端子ねじが締め付けられたときは、隔壁によって横方向への運動が規制されるので、ねじ受け部３は回転をせずに上下方向に移動できる。このねじ受け部３は、着色（この実施の形態１では、例えば青色）されており、密着端３２が表示部６に密着した状態では、その色が透過して視認可能になる。
【００２４】
具体的には、例えば、図３（ｃ）に示すように、端子ねじ１１０に端子Ｅ１１、Ｅ１２を接続し、端子ねじ２１０に端子Ｅ２１を接続した状態で、図３（ｂ）に示すように、端子ねじ２１０が端子台１Ａに締め付けられると、端子ねじ２１０の下側がねじ受け部３２１のねじ孔と螺合し、図３（ａ）に示すように、端子ねじ１１０が端子台１Ａに締め付けられると、端子ねじ１１０の下側がねじ受け部３１１のねじ孔と螺合し、端子板２を介して、端子Ｅ１１、Ｅ１２と端子Ｅ２１とが電気的に接続される。
【００２５】
支持部４は、図３（ａ）に示すように、端子台１Ａ内の端子板２上に配設され、電気絶縁性を有する箱状体で、ねじ受け部３を下方から支持するものである。すなわち、支持部４と当接することによって、ねじ受け部３は下方への移動が規制される。
【００２６】
ストッパ５は、電気絶縁性を有する角棒状の物体であり、端子台１Ａ内に配設され、ねじ受け部３の上方への移動を規制するものである。すなわち、ストッパ５と当接することによって、ねじ受け部３は上方への移動が規制される。
【００２７】
表示部６は、図１ないし図３に示すように、端子台の上面部に配設された半透明の合成樹脂製の板状材であり、端子ねじ１１０、１２０、・・・、２１０、２２０、・・・が端子台に締め付けられたことを表示するものである。表示部６は、半透明であるので、図２（ｃ）、図６に示すように、ねじ受け部３１１の密着端３２が表示部６から離接している場合には、表示部６の一部分である密着部７１１からねじ受け部３１１の密着端３２を視認不可能であるが、図２（ａ）、図６に示すように、ねじ受け部３１１の密着端３２と表示部６が密着している場合には、表示部６の一部分である密着部７２１からねじ受け部３１１の密着端３２の青色が透過して視認できる。具体的には例えば、図３（ａ）に示すように、端子ねじ１１０が端子台１Ａに締め付けられると、ねじ受け部３１１の密着端３２が、端子台１Ａの上面部に下側から押圧されて、表示部６にねじ受け部３１１の密着端３２が密着する。これにより、図２（ａ）、図６に示すように、表示部６には、ねじ受け部３１１の密着端３２の青色が透過して視認できるようになる。
【００２８】
次に、締付表示付端子台１の作用、及び端子ねじの締め付け確認方法について説明する。
【００２９】
図３（ｃ）に示すように、端子ねじ１１０に端子Ｅ１１、Ｅ１２を接続し、端子ねじ２１０に端子Ｅ２１を接続し、端子ねじ１１０、２１０が緩んでいる状態では、図２（ｃ）に示すように、表示部６には青色が視認できない。
【００３０】
そして、図３（ｂ）に示すように、端子ねじ２１０が端子台１Ａに締め付けられると、端子ねじ２１０の下側がねじ受け部３２１のねじ孔と螺合して、図２（ｂ）、図６に示すように、ねじ受け部３２１の外縁部が表示部６に密着して密着部７２１には青色が透過して視認できる。
【００３１】
そして、図３（ａ）に示すように、端子ねじ１１０が端子台１Ａに締め付けられると、端子ねじ１１０の下側がねじ受け部３１１のねじ孔と螺合して、図２（ａ）、図６に示すように、ねじ受け部３１１の外縁部が表示部６に密着して密着部７１１にも青色が透過する。
【００３２】
この実施の形態１によれば、端子台への端子ねじ１１０、１２０、２１０、２２０の締め付けを確認する際には、端子台に端子ねじ１１０、１２０、２１０、２２０を締め付けて、表示部６においてねじ受け部３が透過して視認できたか否かによって締め付けを確認することができるので、特別な操作や工具を用いずに、端子台への端子ねじ１１０、２１０の締め付けを確認することが可能となる。そして、端子ねじ１１０、１２０、２１０、２２０の緩みの早期発見による事故防止や、設備重視作業の迅速化が可能となる。
【００３３】
また、ねじ受け部３が着色されているため、端子ねじ１１０、１２０、２１０、２２０が締め付けられて、表示部６に密着した時に、より明確に確認することが可能となる。
【００３４】
さらに、密着端３２が、円柱状や角柱状であるため、より確りと表示部６に密着するようになるので、端子ねじ１１０、１２０、２１０、２２０が締め付けられたことを、より明確に確認することが可能となる。
【００３５】
（実施の形態２）
この実施の形態２では、締付表示付端子台１０は、図７に示すように構成する。締付表示付端子台１０は、締付表示付端子台１における支持部４を備えていない点で、締付表示付端子台１と相違し、その他の構成は同一であるため、同一または対応する符号を付すことにより、説明を省略する。ここで、図７（ａ）は、締付表示付端子台１０に端子ねじ１１０、２１０が締め付けられた状態を示し、図７（ｂ）は、端子ねじ２１０のみが締め付けられた状態を示し、図７（ｃ）は、端子ねじ１１０、２１０がいずれも緩んだ状態を示している。
【００３６】
端子板１２は、端子台１Ａ内の底面から所定距離だけ上方に離接して配設されている。この端子板１２は、端子ねじを端子台に締め付けた際に、端子ねじの下端が当接する位置となるように配設されている。
【００３７】
この実施の形態２によれば、端子ねじ２１０が端子台１０Ａに締め付けられると、端子ねじ２１０の下側がねじ受け部１３２１のねじ孔と螺合して、図７（ｃ）に示すように、ねじ受け部１３２１の密着端１３１が表示部１６に密着して密着部には青色が透過して視認できる。
【００３８】
（実施の形態３）
この実施の形態３では、締付表示付端子台２０は、図８、図９に示すように構成する。締付表示付端子台２０は、表示部２６の構成が、締付表示付端子台１０と相違し、その他の構成は同一であるため、同一または対応する符号を付すことにより、説明を省略する。ここで、図８（ａ）は、締付表示付端子台２０に端子ねじ１１０、２１０が締め付けられた状態を示し、図８（ｂ）は、端子ねじ２１０のみが締め付けられた状態を示し、図８（ｃ）は、端子ねじ１１０、２１０がいずれも緩んだ状態を示している。
【００３９】
表示部２６は、端子台の上面部に配設された黄色く着色された板状材であり、端子ねじが端子台に締め付けられたことを表示するものである。表示部２６は、ねじ受け部２３１１の密着端が挿通自在な挿通孔２７を有している。
【００４０】
端子ねじ２１０が端子台２０Ａに締め付けられると、端子ねじ２１０の下側がねじ受け部２３２１のねじ孔と螺合することによって、ねじ受け部２３２１が上方に移動して、図８（ｂ）、図９に示すように、ねじ受け部２３２１の密着端２３１が表示部２６の挿通孔から露出して挿通孔２７２１にはねじ受け部２３２１の青色が透過して視認できる。
【００４１】
この実施の形態３によれば、表示部２６の開口から、密着端２３１が露出するので、端子ねじが１１０、２１０締め付けられたことを、より明確に確認することが可能となる。
【００４２】
以上、この発明の実施の形態１ないし３について説明したが、具体的な構成は、上記の実施の形態に限られるものではなく、この発明の要旨を逸脱しない範囲の設計の変更等があっても、この発明に含まれる。例えば、表示部６は、実施の形態１等では、半透明の合成樹脂としたが、これ以外にも液晶パネルや圧電材料の様な、表面の色が圧力の変化に敏感に反応して変化するような素材を用いることで、端子ねじが１１０、２１０締め付けられたことを、さらに明確に確認することが可能となる。
【符号の説明】
【００４３】
１、１０、２０                      締付表示付端子台
２、１２                            導通部（端子板）
３、１３、２３                      ねじ受け部
３２、１３１、２３１              密着端
６、１６、２６                      表示部
２７                                挿通孔
１１０、１２０、２１０、２２０      端子ねじ
【図１】
2016152199.tif 000003
【図２】
2016152199.tif 000004
【図３】
2016152199.tif 000005
【図４】
2016152199.tif 000006
【図５】
2016152199.tif 000007
【図６】
2016152199.tif 000008
【図７】
2016152199.tif 000009
【図８】
2016152199.tif 000010
【図９】
2016152199.tif 000011